(57)【要約】【課題】設置された場所でその設置状況に簡単に調整できる回転シャフトアセンブリおよびシャッタを提供する。【解決手段】シャッタ（１００）用、特にローラシャッタ用の回転シャフトアセンブリ（１０）であって、回転軸（Ｄ）を中心に回転する回転シャフト（２０）と、回転シャフト（２０）に回転に耐えるように取付けられ、回転シャフト（２０）に印加されるシャッタ（１００）のシャッタリーフ（１１０）の重量との釣り合いを取るためのバランス調整機能を有する重量バランス調整手段（３０）とを含み、重量バランス調整手段（３０）のバランス調整機能が調節可能である回転シャフトアセンブリ（１０）及びこの回転シャフトアセンブリ（１０）を有するシャッタ（１００）を提供する。【選択図】図５
2011117193.tif 000002
【特許請求の範囲】
【請求項１】
シャッタ用、特にローラシャッタ用の回転シャフトアセンブリ（１０）であって、回転軸（Ｄ）を中心に回転自在な回転シャフト（２０）と、
前記回転シャフト（２０）にその回転に耐えるように取付けられ、前記回転シャフト（２０）に印加される前記シャッタ（１００）のシャッタリーフ（１１０）の重量との釣り合いを取るためのバランス調整機能を有する重量バランス調整手段（３０）と、
を含み、前記重量バランス調整手段（３０）の前記バランス調整機能が調節可能である、回転シャフトアセンブリ（１０）。
【請求項２】
前記バランス調整機能を調整するため、前記重量バランス調整手段（３０）を、前記回転軸（Ｄ）に対してさまざまな位置に配置、具体的には所定の角度で配置し、回転に耐えるように前記回転シャフト（２０）に装着することができることを特徴とする、請求項１に記載の回転シャフトアセンブリ（１０）。
【請求項３】
調節手段（７０）をさらに含み、前記調節手段（７０）により、前記重量バランス調整手段（３０）を前記回転シャフト（２０）に連結し、前記調節手段（７０）により前記回転軸（Ｄ）に対する前記さまざまな位置が得られることを特徴とする、請求項１または２に記載の回転シャフトアセンブリ（１０）。
【請求項４】
前記調節手段（７０）が、第１の調節部（８０）および第２の調節部（９０）を含み、前記第１の調節部（８０）が前記回転シャフト（２０）に付属し、前記第２の調節部（９０）が前記重量バランス調整手段（３０）に付属することを特徴とする、請求項３に記載の回転シャフトアセンブリ（１０）。
【請求項５】
前記第１の調節部（８０）および前記第２の調節部（９０）が、摩擦係合により互いに接続でき、および／または噛合式接続として係合および脱係合することができることを特徴とする、請求項４に記載の回転シャフトアセンブリ（１０）。
【請求項６】
前記第１の調節部（８０）および前記第２の調節部（９０）の一方が、前記第１の調節部（８０）および前記第２の調節部（９０）の他方が有する対応凹部（９２）に、噛合式係合することのできる凸部（８２）を含むことを特徴とする、請求項４または５に記載回転シャフトアセンブリ（１０）。
【請求項７】
前記凸部（８２）および／または凹部（９２）が、所定のピッチおよび／またはピッチ角（α）を有するギヤ構造により構成されていることを特徴とする、請求項６に記載の回転シャフトアセンブリ（１０）。
【請求項８】
前記ピッチ角（α）が約５°〜約２０°、具体的には約８°〜約１２°の範囲内であることを特徴とする、請求項７に記載の回転シャフトアセンブリ（１０）。
【請求項９】
前記重量バランス調整手段（３０）が、所定の基本的バランス調整機能を備えた巻取り手段（４０）、具体的には円錐状の巻取りドラム（４２）を有することを特徴とする、上記請求項のいずれか１項に記載の回転シャフトアセンブリ（１０）。
【請求項１０】
前記重量バランス調整手段（３０）がばね部（５０）を含み、前記ばね部（５０）が、好ましくは、少なくとも１つの引張ばね（５２、５４）を含むことを特徴とする、上記請求項のいずれか１項に記載の回転シャフトアセンブリ（１０）。
【請求項１１】
前記重量バランス調整手段（３０）が連結部材（６０）を含み、前記連結部材（６０）を介して前記ばね部（５０）が前記巻取り手段（４０）に連結されており、好ましくは、前記連結部材（６０）が、少なくとも１本のケーブル（６２）、具体的には２本のケーブル（６２、６４）を含むことを特徴とする、上記請求項のいずれか１項に記載の回転シャフトアセンブリ（１０）。
【請求項１２】
前記回転シャフト（２０）の前記回転動作を伝達するため、少なくとも１つの搬送子（２６）が回転シャフト筐体（２４）に取り付けられることを特徴とする、上記請求項のいずれか１項に記載の回転シャフトアセンブリ（１０）。
【請求項１３】
前記搬送子（２６）が、接着剤接続により前記回転シャフト（２０）に接続され、前記搬送子（２６）が、具体的には前記回転シャフト（２０）に、射出成形されることを特徴とする、請求項１２に記載の回転シャフトアセンブリ（１０）。
【請求項１４】
シャッタリーフ（１１０）および上記請求項のいずれか１項に記載の回転シャフトアセンブリ（１０）を有するシャッタ（１００）、特にローラシャッタであって、前記回転シャフト（２０）が、前記シャッタリーフ（１１０）に回転に耐えるように取り付けられ、前記重量バランス調整手段（３０）が、前記シャッタリーフ（１１０）の開閉時に前記シャッタリーフ（１１０）の重量との釣り合いを取るためのバランス調整機能を有することを特徴とするシャッタ（１００）。
【請求項１５】
駆動部（１２２）と伝達装置（１３０）とをさらに有し、前記駆動部（１２２）が、前記回転シャフト（２０）を回転駆動させるために前記伝達装置（１３０）を介して前記回転シャフト（２０）に連結されており、前記伝達装置（１３０）が、環状体となるように閉じた引張り手段（１３４）を備えた引張り手段変速機（１３２）を含むことを特徴とする、請求項１４に記載のシャッタ（１００）。
【請求項１６】
回転シャフト筐体（２４）とシャッタカーテン（１１２）とをさらに含み、前記回転シャフト筐体（２４）が、前記回転シャフト（２０）に少なくとも１つの搬送子（２６）を介して前記回転シャフト（２０）に接続され、前記シャッタカーテン（１１２）が、シャッタリーフ（１１０）として前記回転シャフト筐体（２４）に取り付けられていることを特徴とする、請求項１４または１５に記載のシャッタ（１００）。
【請求項１７】
前記シャッタカーテン（１１２）が、前記回転シャフト筐体（２４）に取り付けられた支持部材（２８）により、回転に耐えるように前記回転シャフト（２０）に装着されていることを特徴とする、請求項１４〜１６のいずれか１項に記載のシャッタ（１００）。
【発明の詳細な説明】
【技術分野】
【０００１】
本発明は、シャッタ用、特に、回転軸を中心に回転する回転シャフトを含むローラシャッタ用の回転シャフトアセンブリに関する。さらに本発明は、その回転シャフトアセンブリを備えたシャッタ、特にローラシャッタに関する。
【背景技術】
【０００２】
ローラシャッタは、シャッタカーテンとして形成されるシャッタリーフを備えている。シャッタリーフは、具体的には例えば、複数枚のパネルやローラシャッタスラットが互いに枢着されたものであり、その全体が巻取りシャフトまたは巻胴として形成された回転シャフトに巻き取られるようになっている。こうしたローラシャッタの駆動には、その巻胴内の筒型モータ、または巻胴に取付けたウォームギヤモータが用いられる。また、シャッタリーフの重量をバランス調整するために、ばね型バランス手段が備えられることも周知である。ばねによるバランス調整は、駆動力を低減させるためのもので、多くの場合、回転シャフトまたは巻胴内に置かれる捻りコイルばねや、回転シャフトまたは巻胴上に置かれる渦巻ばねユニットが使用される。
【発明の概要】
【発明が解決しようとする課題】
【０００３】
従来の重量バランス構造としては例えば、ピッチを予め定めた巻取りドラムや、バネ特性を予め定めたばね部が用いられてきた。この場合は必ず、ローラシャッタと、特に回転シャフトアセンブリとを極めて正確に組み立てて、バランス調整機能の前調整を予め行っておく必要がある。ところが、実際の設置場所では、前もって想定していた調整状態とはその前後にずれることが多く、そうなると、シャッタの設置後、前調整したバランス調整機能は発揮されない。
【０００４】
そこで、本発明は、設置された場所でその設置状況に簡単に調整できる回転シャフトアセンブリおよびシャッタを提供することを目的とする。
【課題を解決するための手段】
【０００５】
上記目的を達成するために、請求項１に記載の特徴を有する回転シャフトアセンブリと、請求項１４に記載の特徴を有するシャッタとを提供する。本発明の有利な実施形態は、従属請求項に記載したとおりである。
【０００６】
好適な一実施形態において、バランス調整機能を調節するため、回転シャフトに対してさまざまな位置がとれ、回転に耐えるように回転シャフトに装着可能な重量バランス調整手段が設けられている。言い換えれば、好ましくは、１つの重量バランス調整手段を別の重量バランス調整手段と取り替えることによりバランス調整機能を得るのではなく、１つの同一重量バランス調整手段を用いてバランス調整機能を得る。このとき、その重量バランス調整手段を、回転軸すなわち回転シャフトに対してさまざまな位置に取付けることができる。このようにして、重量バランス調整手段のバランス調整機能を設置状況下で最適に調整するため、重量バランス調整手段を、配置可能な位置の１つにずらして、回転に対抗させるように回転シャフトに装着することができる。簡単な操作で、かつ数多くの構成要素の使用や部品の交換を不要としながら、バランス調整機能の簡単な調整や再調整、とりわけ微調整ができるようになる。
【０００７】
重量バランス調整手段のさまざまな位置への配置は、好ましくは、重量バランス調整手段を回転軸に対するさまざまな所定角度位置に配置可能にすることにより行う。具体的には、この目的のために、所定ピッチの歯車構造を用いることができる。これについては後ほど詳細に説明する。
【０００８】
好ましくは、調節手段が設けられ、この調節手段を用いて、重量バランス調整手段を回転シャフトに連結する。この調節手段の設置により、回転軸に対するさまざまな取付位置が提供される。その各位置で重量バランス調整手段を回転シャフトに取り付けることができる。利用可能な位置のいずれに配置するかに応じて、バランス調整機能の特定の微調整が可能になる。
【０００９】
好適な一実施形態において、この調節手段は、第１の調節部および第２の調節部を含み、第１の調節部は回転シャフトに関係付けられ、第２の調節部は重量バランス調整手段に関係付けられる。言い換えれば、調節手段を構成する構成要素を、回転シャフトアセンブリの種々の構成要素に付属させることができ、および／または重量バランス調整手段と一体化させることもできる。
【００１０】
第１および第２の調節部の相互作用に関して言えば、非確動式接続により互いに接続させても、噛合式接続として係合状態または脱係合状態にさせてもよい。好適な一実施形態において、凸部と凹部とを互いに噛み合う係合状態にできるように、第１および第２の調節部の一方に凸部を、他方に凹部を設ける。好ましくは、この凸部および／または凹部を、所定のピッチおよび／または所定のピッチ角を有する歯車構造により形成する。好ましくは、このピッチ角を約５°から約２０°の間、具体的には約８°から約１２°の間とする。特に好ましくは、回転シャフトをスプライン軸として形成し、歯を構成する凸部と、その凸部間にある凹部すなわち溝を、回転シャフトの長手方向に平行、すなわち回転軸に平行に形成する。
【００１１】
有利な一実施形態によれば、上記重量バランス調整手段は、所定の基本的バランス調整機能を備えた巻取り手段、具体的には円錐状巻取りドラムを含む。言い換えれば、上記重量バランス調整手段は、自構造および／または回転シャフトとの相互作用により、基本的バランス調整機能と同時に、付加的バランス調整機能を提供することが出来る。この付加的バランス調整機能により、調節手段を用いて好適に調節することができ、バランス調整機能全体の微調整が可能となる。
【００１２】
さらに、重量バランス調整手段は、ばね部を含むことができる。好ましくは、このばね部に、少なくとも１つの引張ばねを含めることができる。例えば、複数の引張ばねとして１つのばねが他のばねの内部に位置するようなものを用いることができる。複数の引張ばねを同心に配置し、および／または互いに反対向きに巻いた構成とすることができる。
【００１３】
さらに、重量バランス調整手段は、連結部材を含むことができる。上記ばね部はこの連結部材で巻取り手段に連結され、このとき、好ましくは連結部材に少なくとも１本のケーブル、具体的には２本のケーブルを含めることができる。複数本のケーブルは基本的に平行に案内され、好ましくはこれを、テンションケーブル、具体的にはワイヤケーブルで形成することができる。
【００１４】
別の好適な一実施形態において、少なくとも１つの搬送子を回転シャフト筐体に取付けて、回転シャフトの回転動作を伝達させる。好ましくは、この搬送子を接着剤接続により、回転シャフトに接続させる。この搬送子を例えば、プラスチック製として、回転シャフトに射出成形する。例えば、回転シャフトを成形具に挿入して押出成形によりアルミニウム材で形成することができ、回転シャフトの周囲に接着固定することにより搬送子を形成するために、形成する材料を回転シャフトと成型具の内壁との間に形成されるキャビティ内に導入することにより形成できる。
【００１５】
本発明によるシャッタ、具体的にはローラシャッタの形態であるシャッタは、シャッタリーフと、本発明による回転シャフトアセンブリとを含み、この回転シャフトは、回転に耐えるようにシャッタリーフに取り付けられ、上記重量バランス調整手段は、シャッタリーフの開閉時にシャッタリーフの重量との釣り合いを取るためのバランス調整機能を有している。本発明によるシャッタは、本発明による回転シャフトアセンブリの利点を利用している。これについては後述する。
【００１６】
好適な一実施形態において、駆動部が伝達装置を介して回転シャフトに連結されて回転シャフトを回転駆動する。この伝達装置は、環状体に閉じた引張り手段を有する引張り手段変速機を含む。さらに好ましくは、この伝達装置は、自動ロック式ウォームギヤ伝達機構を含むことができる。このウォームギヤ伝達機構は好ましくは、少なくとも１：２０、好ましくは１：６０、さらに好ましくは１：８０を超えるギヤ比を有する。この引張り手段変速機を例えば、引張り手段変速機を噛合式引張り手段変速機として形成する。
【００１７】
別の好適な一実施形態によれば、少なくとも１つの搬送子により回転に耐えるように回転シャフトに接続される回転シャフト筐体が設けられる。このとき、シャッタカーテンがシャッタリーフとして回転シャフト筐体に取付けられる。別法として、複数の支持部材を回転シャフト筐体に取付けて、これにより、回転に耐えるようにシャッタカーテンを回転シャフトに装着してもよい。さらに、少なくとも１本のコイルばねを用いて、シャッタを支持部材または回転シャフト筐体に装着してもよい。
【００１８】
上記支持部材は好ましくは、少なくとも１つの彎曲した外面を有し、シャッタカーテンの回転シャフト側端部の装着と、シャッタカーテンのうち、特に第１のスラット、そしてシャッタカーテンの巻き上げ時および巻き戻し時には、第１のスラットに連なる、シャッタカーテンのその他のスラットの支持とに用いられる。シャッタカーテンの回転シャフト側端部を装着するために、少なくとも１つのコイルばねを使用することができる。このコイルばねは、支持部材および／または回転シャフト筐体に固定される。さらに、複数の支持部材が設けられており、その複数の支持部材間で回転シャフトまたは回転シャフト筐体にアセンブリ引張り手段が搭載されている場合に、有利であることがわかっている。上述したように、この複数の支持部材はシャッタカーテンを支持する機能を果たし、シャッタカーテンの最後のアセンブリに続いて回転シャフトに完全に巻き取られたアセンブリ引張りバンドは、そのシャッタカーテン用の弾性支持部材として機能することができる。
【００１９】
以下、本発明の例示的実施形態を、添付の図面を参照しながらさらに詳細に説明する。
【図面の簡単な説明】
【００２０】
【図１】駆動装置および重量バランス調整手段を有するローラシャッタの内面図である。
【図２】図１によるローラシャッタ用回転シャフトアセンブリを示す斜視図である。
【図３】図２による回転シャフトアセンブリの右端領域を示す拡大図である。
【図４】図２による回転シャフトアセンブリを示す拡大図である。
【図５】図４のＶ−Ｖ線に沿った回転シャフトアセンブリを示す長手方向断面図である。
【図６】図４のＶＩ−ＶＩ線に沿った断面図である。
【図７】図２の回転シャフトアセンブリの右端部を示す図である。
【図８】２つの搬送子を備えた回転シャフト部分を示す斜視図である。
【図９】図８による構造を示す図である。
【図１０】図８による構造の長手方向断面図である。
【図１１】図１０の構造の右端部を示す図である。
【図１２】図２の回転シャフトの一端部を示す側面図である。
【図１３】図１２のＸＩＩＩ部分を詳細に示す拡大図である。
【発明を実施するための形態】
【００２１】
図１に示すシャッタ１００は、壁開口１０２の開閉に使用するローラシャッタである。シャッタ１００は、互いに枢着された複数枚のスラットまたはルーバーで構成されたシャッタカーテンによるシャッタリーフ１１０を含む。その閉位置で床１０３に接触する閉鎖底縁部１１７の領域には、シャッタカーテン１１２上に組み合わせ式閉鎖レール１１６が設けられている。組み合わせ式閉鎖レール１１６に例えば、シールおよび／またははさみ込み防止機能を備えることができる。シャッタ１１０は、静止型フレーム部材であるフレーム１０４により、壁開口１０２の周縁部に取付けられる。フレーム１０４は、支持ブラケット１０７、１０８を備えた２本のガイドレール１０５、１０６を有する。シャッタ１００をシャッタ経路Ｓに沿って開閉する際、シャッタカーテン１１２は、ガイドレール１０５、１０６内の両脇縁部によって案内される。回転シャフトアセンブリ１０は、支持ブラケット１０７、１０８に支持される。回転シャフトアセンブリ１０は図２〜１３に詳しく図示しており、後ほどさらに詳細に説明する。
【００２２】
回転シャフトアセンブリ１０は、回転軸Ｄを中心に回転自在な２つの軸受け１２で支持された回転シャフト２０を含む。本願では、回転シャフト２０は第１の端部２１と第２の端部２２とを有し、一方の軸受け１２は第１の端部２１の領域に、もう一方の軸受け１２は第２の端部２２の領域に設けられている。複数の搬送子２６は回転シャフト２０に取付けられており、その周囲に、回転シャフト筐体２４が八角形のスチールシャフトとして、回転に耐えるように取付けられている。搬送子２６は、回転シャフト２０の回転動作を回転シャフト筐体２４に伝達する。回転シャフト２０によって回転シャフト筐体２４周囲にシャッタカーテン１１２が巻き上げられ、かつ回転シャフト２０により巻き戻されることができるようにシャッタカーテン１１２が取付けられている。巻き上げおよび巻き戻しの際に、シャッタカーテン１１２を支持する部材として、支持部材２８および／またはコイルばね２９が設けられている。これについては以下で詳述する。
【００２３】
回転シャフト２０の回転動作を起こすため、回転シャフト２０を駆動する駆動装置１２０が回転シャフト２０の第２の端部２３に設けられている。この駆動装置１２０は、駆動部１２２と、引張り手段変速機１３２および引張り手段１３４を備えた伝達装置１３０とを含む。
駆動装置１２０の詳しい構造および機能については、欧州特許第０８１０１８１２９号に、駆動装置２６と、引張り手段変速機７８その他の構成要素を備えた伝達装置７４とについて記載されている内容を参照されたい。この内容全体、具体的には図２および図３に関する説明を、参照により本明細書に援用したものとする。
【００２４】
回転シャフト２０の第１の端部２１の領域において、重量バランス調整手段３０が回転シャフト２０に適用されている。本実施形態において、重量バランス調整手段３０は、円錐状に形成した巻取りドラム４２を備えた巻取り手段４０を含む。巻取りドラム４２の外面４４には、螺旋状の溝４５が所定のピッチで設けられている。また、巻取りドラムの内壁、すなわち内面４８には穴４６が設けられている。
【００２５】
この巻取り手段４０、具体的には巻取りドラム４２の所定ピッチを備えた巻取り手段４０により、シャッタリーフ１１０の重量との釣り合いを取るためのバランス調整機能が得られる。
【００２６】
さらに、重量バランス調整手段３０は、内側引張ばね５２および外側引張ばね５４を少なくとも含むばねユニットの形でばね部５０を有している。内側引張ばね５２は外側引張ばね５４の内部に基本的に同心に配置されている。この引張ばね５２、５４は、互いに絡まないように反対方向に巻かれている。このばねユニット全体が、図１の一部に点線枠で示したように、フレーム１０４の空隙内に収容される。
【００２７】
ばね部５０の第１の端部は、引張フックを備えたばね座によりフレーム１０４の静止領域に連結されている。第２の端部では、ばね部５０は連結部材６０を介して巻取り手段４０に連結されている。連結部材６０は、少なくとも１つの引張り手段、例えばケーブル６２、具体的には２本のケーブル６２、６４を含む。２本のケーブル６２、６４は基本的に平行に延びて、その端部にて巻取りドラム４２に装着され、２重溝である溝４５に案内されている。シャッタカーテン１１２の開閉時、ケーブル６２、６４は巻取りドラム４２に巻き上げられたり、巻取りドラム４２から巻き戻されたりする。
【００２８】
重量バランス調整手段３０が巻取り手段４０、ばね部５０、連結部材６０、その他の構成要素を含んで上記構造を有している結果、特に巻取りドラム４２がとっている位置からの枢動アームにより、引張ばね５２、５４の引張力は巻胴２０に回転力として印加される。巻取りドラム４２とそれによりさまざまに異なる枢動アームとにより、引張力によって発生する回転力は、回転シャフト２０の姿勢すなわち位置に応じて変化する。各回転力は、開位置と閉位置との間で異なるシャッタリーフ１１０の位置によるシャッタリーフ１１０の経路依存回転力に対抗するものである。このため、回転力はそれぞれ、結果として大部分が相殺される。この相殺し合う２つの回転力が、シャッタに通常みられるバランス調整機能となる。回転力の相殺の結果、作用する力が小さいほど、駆動装置１２０がシャッタ１００にかける電力は少なくて済む。これについては以下で説明する。
【００２９】
バランス調整機能を備えた重量バランス調整手段３０の機能については、欧州特許第０８１０１８１２９号に記載されている内容を参照されたい。この内容全体、具体的には、相殺し合う回転力の特性とそれによるバランス調整機能に関する説明を、参照により本明細書に援用したものとする。
【００３０】
図１から図１３に示した回転シャフトアセンブリではさらに、重量バランス調整手段３０のバランス調整機能を調整することができる。すなわち、重量バランス調整手段３０は、回転軸Ｄに対してさまざまな位置をとることができ、かつ回転に耐えるように回転シャフト２０に装着可能となっている。図示した例示的実施形態において、重量バランス調整手段３０は、回転軸Ｄ上で回転軸Ｄに対してさまざまな角度位置を取ることができ、回転に耐えるように回転シャフト２０上の位置を必要に応じて調整した後、装着することができる。
【００３１】
このようなことを目的として、調節手段７０は、回転軸Ｄに対するさまざまな位置を提供する。調節手段７０は、第１の調節部８０と第２の調節部９０とを含み、第１の調節部８０は回転シャフト２０に関係付けられており、第２の調節部９０は重量バランス調整手段３０および巻取り手段４０に関係付けられている。第１の調節部８０は、回転シャフト２０の外面２３の表面形状により構成されている。この外面２３は、所定のピッチおよび所定のピッチ角αによるギヤ構造、すなわち歯状プロファイルで形成された複数の歯である凸部８２を含んでいる（図１２および図１３）。第２の調節部９０は、巻取りドラム４２の内面４８の表面形状により構成されている。内面２３は、凸部８２の受け入れに適した形状の凹部９２を有しており、凹部９２は、巻取りドラム４２の外面４４と同様に、ギヤ構造に対応するピッチおよびピッチ角で形成されている。この凸部８２と凹部９２とを、噛合式接続による係合状態および脱係合状態にすることができる。あるいは、またこれに加えて、第１の調節部８０および第２の調節部９０に摩擦係合を取り入れてもよい。この２つの調節部８０および９０を噛合式係合させると、重量バランス調整手段３０のバランス調整機能をすばやく調整、再調整、微調整することができ、部品交換も不要である。
【００３２】
フレーム１０４とガイドレール１０５、１０６とを組み合わせた後、回転シャフトアセンブリ１０を、支持ブラケット１０７、１０８を用いて取付けることができる。この時点で、重量バランス調整手段３０がシャッタリーフ１１０の重量を最適にバランス調整するように所望の機能を果たしていないと判断した場合は、このバランス調整機能は、巻取りドラム４２から回転シャフト２０を引き抜き、回転軸Ｄを中心に、例えば特定数の凸部８２または凹部９２に相当する所定角度を回転させ、巻取りドラム４２を回転シャフト２０上の回転位置に再度配置し、凸部８２と凹部９２との間を噛合式係合させることで回転シャフト２０および巻取りドラム４２を回転に抵抗するような接続として、バランス調整機能を微調整することができる。バランス調整機能をさらに調整する場合や、その調整を変更する場合には、上記操作を繰り返すことができる。
【００３３】
図８から図１１に、回転シャフト筐体２４の内部に設けられ、２つまたはこれ以上の搬送子２６を備えた回転シャフト２０の構成を示す。回転シャフト２０は、押出成型によるアルミニウム材で形成されており、具体的には第１の端部２１に、複数の凸部８２を備えたギヤ構造を有する。好ましくは、回転シャフト２０の外側表面２３に、全長に渡り、歯である凸部８２による歯状構造またはギヤ構造を設ける。これにより、有利な点は、搬送子２６を回転シャフト２０上に簡単かつ強力に装着することができることである。搬送子２６は、好ましくはプラスチック製（例えばＰＡ）として、回転シャフト２０に射出成形する。この成型には、回転シャフト２０を、回転シャフト２０と成形具との間に搬送子２６の形状に相当する空隙ができるように成形具に挿入して、その空隙に形成材料を投入できるようにする。その形成材料を固化して搬送子２６を形成する。これにより、回転シャフト２０の凸部８２同士の間にある外側表面２３の凹部と係合する隆起部が得られ、形成材料が固化した後、搬送子２６を回転シャフト２０に接着接合させる。このようにして、接着接合による回転シャフト２０および搬送子２６の一体部材が得られる。この一体部材は、軸受け１２を用いて支持ブラケット１０７、１０８に取付け可能である。さらに、回転シャフト筐体２４を搬送子２６周囲に取付けることができる。また、回転シャフト２０の第２の端部２２の領域では、その歯付き構造に引張り手段変速機１３２を簡単に装着することができる。この装着用に、引張り手段変速機１３２に搬送子が設けられる。この搬送子はその中央穴の内壁に歯付き構造を有しており、回転シャフト２０の歯付き構造と係合できるようになっている。この手段により、引張り手段変速機１３２の搬送子を回転シャフト２０周囲に押し入れることができる。必要に応じて、上記以外にも固定手段を用いることが可能である。
【符号の説明】
【００３４】
１０  回転シャフトアセンブリ
１２  軸受け
２０  回転シャフト
２１  第１の端部
２２  第２の端部
２３  外側表面
２４  回転シャフト筐体
２６  搬送子
２８  支持部材
３０  重量バランス調整手段
４０  巻取り手段
４２  巻取りドラム
４４  外側表面
４５  溝
４６  穴
４８  内面
５０  ばね部
５２  内側引張ばね
５４  外側引張ばね
６０  連結部材
６２  ケーブル
６４  ケーブル
７０  調節手段
８０  第１の調節部
８２  凸部
９０  第２の調節部
９２  凹部
１００  シャッタ
１０２  壁開口
１０３  床
１０４  フレーム
１０５  ガイドレール
１０６  ガイドレール
１０７  支持ブラケット
１０８  支持ブラケット
１１０  シャッタリーフ
１１２  シャッタカーテン
１１４  スラット
１１６  組み合わせ式閉鎖レール
１１７  閉鎖縁部
１２０  駆動装置
１２２  駆動部
１３０  伝達装置
１３２  引張り手段変速機
１３４  引張り手段
Ｓ  シャッタ経路
Ｄ  回転軸
α  ピッチ角
【図１】
2011117193.tif 000003
【図２】
2011117193.tif 000004
【図３】
2011117193.tif 000005
【図４】
2011117193.tif 000006
【図５】
2011117193.tif 000007
【図６】
2011117193.tif 000008
【図７】
2011117193.tif 000009
【図８】
2011117193.tif 000010
【図９】
2011117193.tif 000011
【図１０】
2011117193.tif 000012
【図１１】
2011117193.tif 000013
【図１２】
2011117193.tif 000014
【図１３】
2011117193.tif 000015
【外国語明細書】
2011117193000001.pdf